【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
装置であって、前記装置は下記を備える、
エンベロープ信号と可変ブースト電源電圧とを受け、出力電圧と出力電流とを与えるように構成された増幅器と、
電源電圧と、前記エンベロープ信号に基づいて決定された少なくとも１つの信号とを受け、前記電源電圧と前記少なくとも１つの信号とに基づいて前記可変ブースト電源電圧を生成するように構成されたブーストコンバータと、
前記エンベロープ信号または前記出力電圧に基づいて前記ブーストコンバータのための前記少なくとも１つの信号を生成するように構成されたブーストコントローラ、ここで、前記ブーストコントローラが、
前記出力電流に基づいてヘッドルームを決定するように構成されたコンバータと、
前記ヘッドルームと前記エンベロープ信号または前記出力電圧を加算し、加算電圧を与えるように構成された加算器と、
前記加算電圧のピークを検出し、検出されたピーク電圧を与えるように構成されたピーク検出器と、
を備える。
【請求項２】
前記ブーストコントローラが、前記エンベロープ信号または前記出力電圧に基づいてイネーブル信号を生成するように構成され、前記少なくとも１つの信号が前記イネーブル信号を備え、前記ブーストコンバータが、前記イネーブル信号に基づいて有効または無効にされる、請求項１に記載の装置。
【請求項３】
前記ブーストコントローラが、前記エンベロープ信号または前記出力電圧に基づいて前記ブーストコンバータのためのしきい値電圧を生成するように構成され、前記少なくとも１つの信号が前記しきい値電圧を備え、前記ブーストコンバータが、前記電源電圧と前記しきい値電圧とに基づいて前記可変ブースト電源電圧を生成するように構成された、請求項１に記載の装置。
【請求項４】
前記増幅器からの前記出力電流が、前記増幅器からの前記出力電流のプログラム可能な比率に応じて調整されたバージョンである、請求項１に記載の装置。
【請求項５】
前記ブーストコントローラが、前記加算電圧の前記検出されたピークに基づいてイネーブル信号を生成するように構成され、前記少なくとも１つの信号が前記イネーブル信号を備え、前記ブーストコンバータが、前記イネーブル信号に基づいて有効または無効にされる、請求項１に記載の装置。
【請求項６】
前記ブーストコントローラは、前記加算電圧の前記検出されたピークが前記電源電圧を超えるときに前記ブーストコンバータを有効にし、前記加算電圧の前記検出されたピークが前記電源電圧を下回るときに前記ブーストコンバータを無効にするための前記イネーブル信号を生成するように構成された、請求項５に記載の装置。
【請求項７】
前記ブーストコントローラは、前記加算電圧の前記検出されたピークが所定の時間量の間、または所定の量だけ、または両方、前記電源電圧を下回るときに前記ブーストコンバータを無効にするための前記イネーブル信号を生成するように構成された、請求項６に記載の装置。
【請求項８】
前記ブーストコントローラは、
前記検出されたピーク電圧に基づいてしきい値電圧を決定するように構成された制御回路をさらに備え、ここにおいて、前記少なくとも１つの信号が前記しきい値電圧を備え、ここにおいて、前記ブーストコンバータが、前記電源電圧と前記しきい値電圧とに基づいて前記可変ブースト電源電圧を生成するように構成される、請求項１に記載の装置。
【請求項９】
前記制御回路が、前記検出されたピーク電圧に基づいてイネーブル信号を決定するように構成され、前記少なくとも１つの信号が前記イネーブル信号を備え、前記ブーストコンバータが、前記イネーブル信号に基づいて有効または無効にされる、請求項８に記載の装置。
【請求項１０】
方法であって、前記方法は下記を備える、
電源電圧と、エンベロープ信号に基づいて決定された少なくとも１つの信号とに基づいて可変ブースト電源電圧をブーストコンバータによって生成することと、
出力電圧と出力電流とを得るために前記可変ブースト電源電圧を用いて前記エンベロープ信号を増幅器によって増幅することと、
前記エンベロープ信号または前記出力電圧に基づいて前記ブーストコンバータのための前記少なくとも１つの信号をブーストコントローラによって生成すること、ここで、前記ブーストコントローラが、コンバータと、加算器と、ピーク検出器とを備える、
前記方法は、さらに下記を備える、
前記出力電流に基づいてヘッドルームを前記コンバータによって決定することと、
前記ヘッドルームと前記エンベロープ信号または前記出力電圧を前記加算器によって加算し、加算電圧を与えることと、
前記加算電圧のピークを前記ピーク検出器によって検出し、検出されたピーク電圧を与えること。
【請求項１１】
前記エンベロープ信号または前記出力電圧に基づいてイネーブル信号を生成することをさらに備え、ここにおいて、前記少なくとも１つの信号が前記イネーブル信号を備え、ここにおいて、前記可変ブースト電源電圧の生成が、前記イネーブル信号に基づいて有効または無効にされる、請求項１０に記載の方法。
【請求項１２】
前記エンベロープ信号または前記出力電圧に基づいてしきい値電圧を生成することをさらに備え、ここにおいて、前記少なくとも１つの信号が前記しきい値電圧を備え、ここにおいて、前記可変ブースト電源電圧が、前記電源電圧と前記しきい値電圧とに基づいて生成される、請求項１０に記載の方法。
【請求項１３】
前記しきい値電圧を前記生成することが、前記ヘッドルームにさらに基づいて前記しきい値電圧を生成することを備える、請求項１２に記載の方法。
【請求項１４】
しきい値電圧を前記生成することが、 前記加算電圧の前記検出されたピークに基づいて前記しきい値電圧を決定することを備える、請求項１２に記載の方法。
【請求項１５】
非一時的コンピュータ可読媒体を備えるコンピュータプログラム製品であって、前記非一時的コンピュータ可読媒体は下記を備える、
少なくとも１つのコンピュータに、請求項１０から１４のいずれか一項に記載の方法を実行させるためのコード。
【手続補正２】
【補正対象書類名】明細書
【補正対象項目名】００６８
【補正方法】変更
【補正の内容】
【００６８】
[0075]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
[Ｃ１］
装置であって、前記装置は下記を備える、
エンベロープ信号と可変ブースト電源電圧とを受け、出力電圧と出力電流とを与えるように構成された増幅器と、
電源電圧と、前記エンベロープ信号に基づいて決定された少なくとも１つの信号とを受け、前記電源電圧と前記少なくとも１つの信号とに基づいて前記可変ブースト電源電圧を生成するように構成されたブーストコンバータ。
[Ｃ２］
前記エンベロープ信号または前記出力電圧に基づいて前記ブーストコンバータのための前記少なくとも１つの信号を生成するように構成されたブーストコントローラをさらに備える、Ｃ１に記載の装置。
[Ｃ３］
前記ブーストコントローラが、前記エンベロープ信号または前記出力電圧に基づいてイネーブル信号を生成するように構成され、前記少なくとも１つの信号が前記イネーブル信号を備え、前記ブーストコンバータが、前記イネーブル信号に基づいて有効または無効にされる、Ｃ２に記載の装置。
[Ｃ４］
前記ブーストコントローラが、前記エンベロープ信号または前記出力電圧に基づいて前記ブーストコンバータのためのしきい値電圧を生成するように構成され、前記少なくとも１つの信号が前記しきい値電圧を備え、前記ブーストコントローラが、前記電源電圧と前記しきい値電圧とに基づいて前記可変ブースト電源電圧を生成するように構成された、Ｃ２に記載の装置。
[Ｃ５］
前記ブーストコントローラが、ヘッドルームにさらに基づいて前記しきい値電圧を生成するように構成された、Ｃ４に記載の装置。
[Ｃ６］
前記ブーストコントローラが、前記増幅器からの前記出力電流に基づいて前記ヘッドルームを決定するように構成された、Ｃ５に記載の装置。
[Ｃ７］
前記ブーストコントローラが、前記増幅器からの前記出力電流のプログラム可能な比率に応じて調整されたバージョンに基づいて前記ヘッドルームを決定するように構成された、Ｃ５に記載の装置。
[Ｃ８］
前記ブーストコントローラが、前記ヘッドルームおよび前記エンベロープ信号または前記出力電圧に基づいて加算電圧を決定し、前記加算電圧のピークを検出し、前記加算電圧の前記検出されたピークに基づいて前記しきい値電圧を決定するように構成された、Ｃ５に記載の装置。
[Ｃ９］
前記ブーストコントローラが、前記加算電圧の前記検出されたピークに基づいてイネーブル信号を生成するように構成され、前記少なくとも１つの信号が前記イネーブル信号を備え、前記ブーストコンバータが、前記イネーブル信号に基づいて有効または無効にされる、Ｃ８に記載の装置。
[Ｃ１０］
前記ブーストコントローラは、前記加算電圧の前記検出されたピークが前記電源電圧を超えるときに前記ブーストコンバータを有効にし、前記加算電圧の前記検出されたピークが前記電源電圧を下回るときに前記ブーストコンバータを無効にするための前記イネーブル信号を生成するように構成された、Ｃ９に記載の装置。
[Ｃ１１］
前記ブーストコントローラは、前記加算電圧の前記検出されたピークが所定の時間量の間、または所定の量だけ、または両方、前記電源電圧を下回るときに前記ブーストコンバータを無効にするための前記イネーブル信号を生成するように構成された、Ｃ１０に記載の装置。
[Ｃ１２］
前記ブーストコントローラが、
前記出力電流に基づいてヘッドルームを決定するように構成されたコンバータと、
前記ヘッドルームと前記エンベロープ信号または前記出力電圧を加算し、加算電圧を与えるように構成された加算器と、
前記加算電圧のピークを検出し、検出されたピーク電圧を与えるように構成されたピーク検出器と、を備える、Ｃ２に記載の装置。
[Ｃ１３］
前記ブーストコントローラは、
前記検出されたピーク電圧に基づいてしきい値電圧を決定するように構成された制御回路をさらに備え、ここにおいて、前記少なくとも１つの信号が前記しきい値電圧を備え、ここにおいて、前記ブーストコンバータが、前記電源電圧と前記しきい値電圧とに基づいて前記可変ブースト電源電圧を生成するように構成される、Ｃ１２に記載の装置。
[Ｃ１４］
前記制御回路が、前記検出されたピーク電圧に基づいてイネーブル信号を決定するように構成され、前記少なくとも１つの信号が前記イネーブル信号を備え、前記ブーストコンバータが、前記イネーブル信号に基づいて有効または無効にされる、Ｃ１３に記載の装置。
[Ｃ１５］
方法であって、前記方法は下記を備える、
電源電圧と、エンベロープ信号に基づいて決定された少なくとも１つの信号とに基づいて可変ブースト電源電圧を生成することと、
出力電圧と出力電流とを得るために前記可変ブースト電源電圧を用いて前記エンベロープ信号を増幅すること。
[Ｃ１６］
前記エンベロープ信号または前記出力電圧に基づいてイネーブル信号を生成することをさらに備え、ここにおいて、前記少なくとも１つの信号が前記イネーブル信号を備え、ここにおいて、前記可変ブースト電源電圧の生成が、前記イネーブル信号に基づいて有効または無効にされる、Ｃ１５に記載の方法。
[Ｃ１７］
前記エンベロープ信号または前記出力電圧に基づいてしきい値電圧を生成することをさらに備え、ここにおいて、前記少なくとも１つの信号が前記しきい値電圧を備え、ここにおいて、前記可変ブースト電源電圧が、前記電源電圧と前記しきい値電圧とに基づいて生成される、Ｃ１５に記載の方法。
[Ｃ１８］
前記しきい値電圧を前記生成することが、ヘッドルームにさらに基づいて前記しきい値電圧を生成することを備える、Ｃ１７に記載の方法。
[Ｃ１９］
前記しきい値電圧を前記生成することが、
前記出力電流に基づいてヘッドルームを決定することと、
前記ヘッドルームおよび前記エンベロープ信号または前記出力電圧に基づいて加算電圧を決定することと、
前記加算電圧のピークを検出することと、
前記加算電圧の前記検出されたピークに基づいて前記しきい値電圧を決定することとを備える、Ｃ１７に記載の方法。
[Ｃ２０］
装置であって、前記装置は下記を備える、
電源電圧と、エンベロープ信号に基づいて決定された少なくとも１つの信号とに基づいて可変ブースト電源電圧を生成するための手段と、
出力電圧と出力電流とを得るために前記可変ブースト電源電圧を用いて前記エンベロープ信号を増幅するための手段。
[Ｃ２１］
前記エンベロープ信号または前記出力電圧に基づいてイネーブル信号を生成するための手段をさらに備え、ここにおいて、前記少なくとも１つの信号が前記イネーブル信号を備え、ここにおいて、前記可変ブースト電源電圧の生成が、前記イネーブル信号に基づいて有効または無効にされる、Ｃ２０に記載の装置。
[Ｃ２２］
前記エンベロープ信号または前記出力電圧に基づいてしきい値電圧を生成するための手段をさらに備え、ここにおいて、前記少なくとも１つの信号が前記しきい値電圧を備え、ここにおいて、前記可変ブースト電源電圧が前記電源電圧と前記しきい値電圧とに基づいて生成される、Ｃ２０に記載の装置。
[Ｃ２３］
前記しきい値電圧を生成するための前記手段が、ヘッドルームにさらに基づいて前記しきい値電圧を生成するための手段を備える、Ｃ２２に記載の装置。
[Ｃ２４］
前記しきい値電圧を生成するための前記手段が、
前記出力電流に基づいてヘッドルームを決定するための手段と、
前記ヘッドルームおよび前記エンベロープ信号または前記出力電圧に基づいて加算電圧を決定するための手段と、
前記加算電圧のピークを検出するための手段と、
前記加算電圧の前記検出されたピークに基づいて前記しきい値電圧を決定するための手段と、を備える、Ｃ２２に記載の装置。
[Ｃ２５］
非一時的コンピュータ可読媒体を備えるコンピュータプログラム製品であって、前記非一時的コンピュータ可読媒体は下記を備える、
少なくとも１つのコンピュータに、電源電圧と、エンベロープ信号に基づいて決定された少なくとも１つの信号とに基づいて可変ブースト電源電圧の生成を指示させるためのコードと、
前記少なくとも１つのコンピュータに、出力電圧と出力電流とを得るために前記可変ブースト電源電圧を用いて前記エンベロープ信号の増幅を指示させるためのコード。